(57)【要約】【課題】スクリーン枠に対してスクリーンを張設したり取り外したりする操作を容易にするだけでなく、スクリーンの洗浄や交換等のための設備や部材がスクリーン装置の周辺において大きな空間を占有するのを避けた簡易な構成のものとして設置可能にする。【解決手段】スクリーン枠１における一対の対向する枠材２の対面する凹溝６内に、長手方向のスリット９を設けたインナーレール８を収容し、スクリーン４の側端に沿って設けた多数の係合片１２をスリットに摺動自在に係合させる。スクリーンの他の対向辺には操作用桟１５を設け、それを他の枠材３の内側端の凹所１８に離脱可能に保持させ、該凹所の両端側における枠材２の表面に、スクリーン側端の係合片１２をインナーレールに挿脱するための通路を形成する切欠部２０を連設する。【選択図】図１
2017137714.tif 000002
【特許請求の範囲】
【請求項１】
スクリーン枠における一対の対向する第１の枠材に、互いに対面させた凹溝を形成し、両凹溝内にその長手方向に沿うスリットを設けたインナーレールを収容し、上記第１の枠材間に張設するスクリーンには、第１の枠材に沿う一対の対向辺に、上記インナーレールに係合する多数の係合片を設けた帯状体を取り付けて、それを上記インナーレールのスリットに摺動自在に係合させ、上記スクリーンにおける他の一対の対向辺の少なくとも一方に操作用桟を取り付けて、それを上記第１の枠材間を連結してスクリーン枠を構成する第２の枠材の内側端の凹所に離脱可能に保持させるようにしたスクリーン装置において、
上記凹所の両端側における第１の枠材の表面に、スクリーン側端の上記帯状体の係合片をインナーレールに挿脱するための通路を形成する切欠部を連設した、
ことを特徴とするスクリーン装置。
【請求項２】
各一対の第１及び第２の枠材により四角形に枠組みされたスクリーン枠において、一対の第２の枠材に沿うスクリーンの対向辺にそれぞれ操作用桟を取り付け、それらの操作用桟を、それぞれ第２の枠材の内側端の凹所に離脱可能に保持させたスクリーン装置において、上記各凹所の両端側の第１の枠材表面に、上記切欠部を連設した、
ことを特徴とする請求項１に記載のスクリーン装置。
【請求項３】
上記操作用桟が、上記凹所に嵌入するスクリーン連結部と該凹所への着脱操作のための操作部とを備え、上記凹所に弾性的に着脱自在に嵌入係止されるものとした、
ことを特徴とする請求項１又は２に記載のスクリーン装置。
【請求項４】
上記操作用桟は、スクリーン枠へのスクリーンの導出入に際して、インナーレールを収容した一対の第１の枠材間を通過できる長さを有するものとし、該操作用桟の操作によってスクリーンを上記インナーレールに沿って導出入可能にしている、
ことを特徴とする請求項１〜３のいずれかに記載のスクリーン装置。
【請求項５】
上記切欠部を備えた第１の枠材に、該切欠部をそれぞれ開閉自在としたカバーを付設している、
ことを特徴とする請求項１〜４のいずれかに記載のスクリーン装置。
【請求項６】
上記カバーが、上記切欠部に設けたガイド部に沿って摺動することにより該切欠部を開閉するスライドカバーであり、該スライドカバーを、上記通路を開く開位置と該通路を閉鎖する閉位置との間において移動可能とし、両位置に位置決め可能に形成している、
ことを特徴とする請求項５に記載のスクリーン装置。
【請求項７】
上記スライドカバーが、上記第１の枠材のガイド部に係合して摺動する摺動部、上記摺動により第１の枠材のストッパ部に当接して上記通路の開位置に停止せしめられる開位置用当接部片、該スライドカバーの閉位置方向への摺動により第１の枠材の内壁のストッパ部に当接して上記通路の閉位置に停止せしめられる閉位置用当接部片、及び該スライドカバーにおけるカバー部背面が当接して摺動する第１の枠材の表面板の内側面に弾性的に接触してスライドカバーに摺動抵抗を付与する押圧片を備えている、
ことを特徴とする請求項６に記載のスクリーン装置。
【発明の詳細な説明】
【技術分野】
【０００１】
本発明は、スクリーン枠に対して取り外し可能なスクリーンを簡易に張設可能とし、或いはスクリーンをメンテナンス等のためにスクリーン枠に対して挿脱する操作を容易にしたスクリーン装置に関するものである。
【背景技術】
【０００２】
近年、高層マンション等に設置された網戸が落下するなどにより発生する事故を防止するため、該マンション等の網戸を建物開口部枠に固定したり、網戸そのものをサッシの室内側に設置したりするなど対応策が常態化しつつある。このような状況下では、網戸におけるネットの張り替えや洗浄を一般のユーザーに行わせるのは、上記事故の発生を十分に防止できるとは言えず、専門的な技術を有する作業者であっても安全性に疑問がある。
【０００３】
このような観点から、建物開口部において、網戸枠に防虫用等のスクリーンを、洗浄等のメンテナンスや交換等のために着脱可能にしたスクリーン装置は、既に特許文献１等において開示されている。該特許文献１に開示のスクリーン装置におけるスクリーンの取り付けは、窓用サッシの室内側に位置する左右一対の縦枠の対向部位に、該縦枠の長手方向に沿うスリットを設け、スクリーンの左右側端に沿って設けた係合片を該スリットの内側に沿って上下摺動可能に係合させることによって行っているが、該スクリーンの上下端には着脱自在の保持部材１０，２０を設け、それらを開閉自在のカバー１７内に配設するなどして、建物開口部の上下枠に保持させ、上記縦枠とは別異の部材を介してスクリーンの導出入を行うようにしている。
【０００４】
しかしながら、スクリーンの洗浄や交換は、該スクリーンに汚れが目立つようになったときとか、長期使用によるスクリーンの劣化が見付かったときなどに行うものであって、一般にたびたび行われるものではなく、そのため、スクリーンをその側端に沿って設けた係合片を縦枠のスリットの内側に沿って摺動可能に係合させて保持しているようなスクリーン装置の場合に、そのスクリーンを洗浄や交換のために着脱可能にするには、本来、縦枠の範囲内において処理できるのが望ましく、スクリーンの洗浄や交換のための設備や部材が、スクリーン装置の周辺において大きな空間を占有することは、避けるべきであり、それらの設備や部材が存在することが明示されているが、外観的には皆無に等しいことが望まれる。
【先行技術文献】
【特許文献】
【０００５】
【特許文献１】特開２０１２−１７２５０４号公報
【発明の概要】
【発明が解決しようとする課題】
【０００６】
本発明の技術的課題は、スクリーン枠に対して取り外し可能なスクリーンを簡易に張設可能とし、また、張設したスクリーンをメンテナンス等のために簡易に取り外し可能にするだけでなく、スクリーンの洗浄や交換等のための設備や部材がスクリーン装置の周辺において大きな空間を占有するのを避け、簡易な構成のものとして設置可能にすることにある。
【課題を解決するための手段】
【０００７】
上記課題を解決するため、本発明によれば、スクリーン枠における一対の対向する第１の枠材に、互いに対面させた凹溝を形成し、両凹溝内にその長手方向に沿うスリットを設けたインナーレールを収容し、上記第１の枠材間に張設するスクリーンには、第１の枠材に沿う一対の対向辺に、上記インナーレールに係合する多数の係合片を設けた帯状体を取り付けて、それを上記インナーレールのスリットに摺動自在に係合させ、上記スクリーンにおける他の一対の対向辺の少なくとも一方に操作用桟を取り付けて、それを上記第１の枠材間を連結してスクリーン枠を構成する第２の枠材の内側端の凹所に離脱可能に保持させるようにしたスクリーン装置において、上記凹所の両端側における第１の枠材の表面に、スクリーン側端の上記帯状体の係合片をインナーレールに挿脱するための通路を形成する切欠部を連設したことを特徴とするスクリーン装置が提供される。
【０００８】
本発明に係るスクリーン装置の好ましい実施形態においては、各一対の第１及び第２の枠材により四角形に枠組みされたスクリーン枠において、一対の第２の枠材に沿うスクリーンの対向辺にそれぞれ操作用桟を取り付け、それらの操作用桟を、それぞれ第２の枠材の内側端の凹所に離脱可能に保持させたスクリーン装置において、上記各凹所の両端側の第１の枠材表面に、上記切欠部を連設したものとして構成される。
【０００９】
また、本発明に係るスクリーン装置の他の好ましい実施形態においては、上記操作用桟が、上記凹所に嵌入するスクリーン連結部と該凹所への着脱操作のための操作部とを備え、上記凹所に弾性的に着脱自在に嵌入係止されるものとして構成されるのが望まれる。
更に、上記操作用桟は、スクリーン枠へのスクリーンの導出入に際して、インナーレールを収容した一対の第１の枠材間を通過できる長さを有するものとし、該操作用桟の操作によってスクリーンを上記インナーレールに沿って導出入可能にすることが望まれる。
【００１０】
本発明に係るスクリーン装置の更に他の好ましい実施形態においては、上記切欠部を備えた第１の枠材に、該切欠部をそれぞれ開閉自在としたカバーを付設し、また、上記カバーが、上記切欠部に設けたガイド部に沿って摺動することにより該切欠部を開閉するスライドカバーであり、該スライドカバーを、上記通路を開く開位置と該通路を閉鎖する閉位置との間において移動可能とし、両位置に位置決め可能に形成しているものとして構成される。
【００１１】
本発明に係るスクリーン装置の好ましい実施形態においては、上記スライドカバーが、上記第１の枠材のガイド部に係合して摺動する摺動部、上記摺動により第１の枠材のストッパ部に当接して上記通路の開位置に停止せしめられる開位置用当接部片、該スライドカバーの閉位置方向への摺動により第１の枠材の内壁のストッパ部に当接して上記通路の閉位置に停止せしめられる閉位置用当接部片、及び該スライドカバーにおけるカバー部背面が当接して摺動する第１の枠材の表面板の内側面に弾性的に接触してスライドカバーに摺動抵抗を付与する押圧片を備えているものとして構成される。
【発明の効果】
【００１２】
以上に詳述した本発明のスクリーン装置によれば、スクリーン枠に対して取り外し可能なスクリーンを簡易に張設可能とし、また張設したスクリーンをメンテナンス等のために簡易に取り外し可能にするだけでなく、スクリーンの洗浄や交換等のための設備や部材がスクリーン装置の周辺において大きな空間を占有するのを避け、簡易な構成のものとして設置可能にしたスクリーン装置を提供することができる。
【図面の簡単な説明】
【００１３】
【図１】本発明に係るスクリーン装置の実施例を示し、（ａ）はその正面図、（ｂ）は左右の緊張機構を異なる動作状態において示す横断平面図である。
【図２】図１の（ａ）におけるスライドカバーを開状態とした左半省略の部分正面図である。
【図３】図の上下において切断位置を異ならしめた同実施例の縦断面図である。
【図４】同実施例のスライドカバーが未装着の外観斜視図である。
【図５】図４におけるスクリーンの一部を引き出した状態の斜視図である。
【図６】同実施例におけるスクリーンの一部引き出し状態を他の角度から見た要部拡大斜視図である。
【図７】スライドカバーを開いてインナーレール内に多数の係合片を備えた帯状体を挿通する態様を説明するための要部拡大斜視図である。
【図８】同実施例におけるスライドカバーの閉状態を示す要部拡大斜視図である。
【図９】（ａ）は上記スライドカバーの斜視図、（ｂ）は該スライドカバーのカバー部を破断して枠材に対する取付部の構成を示す一部破断斜視図、（ｃ）は上記カバー部及びその背後の押圧弾片の関係を示す部分破断斜視図である。
【図１０】上記スライドカバーの平面図である。
【図１１】枠材におけるスライドカバー取付用の切欠部を備えた部分の正面図である。
【図１２】スライドカバーを開状態にした枠材の構成を示し、（ａ）はその要部正面図、（ｂ）はスライドカバーのカバー部以外を省略した第１の枠材の断面図である。
【図１３】スライドカバーを閉状態にした枠材の構成を示し、（ａ）はその要部正面図、（ｂ）はスライドカバーのカバー部以外を省略した第１の枠材の断面図、（ｃ）は上記（ａ）の左側断面図である。
【発明を実施するための形態】
【００１４】
図面は、本発明に係るスクリーン装置の実施例を示している。このスクリーン装置を構成するスクリーン枠１は、基本的には、左右各一対の第１の枠材２及び上下各一対の第２の枠材３により四角形に枠組みされたものとして構成するのが望ましい。そのスクリーン枠１内に設置するための以下に詳述する構成は、該スクリーン枠１に対して取り外し可能なスクリーン４を簡易に張設可能とし、また張設したスクリーン４をメンテナンス等のために簡易に取り外し可能にするだけでなく、スクリーン４の洗浄や交換等のための設備や部材がスクリーン装置の周辺において大きな空間を占有するのを避け、簡易な構成のものとして設置可能にするものである。そのため、高層マンション等において、網戸を落下事故防止のために建物開口部枠に固定した場合などに、網戸枠をサッシ等に固定したままでスクリーンのみを取り外すことを可能にし、該スクリーンの張り替えや洗浄を容易且つ安全に行うために有効なものである。
【００１５】
上記スクリーン装置の構成について具体的に説明すると、上記スクリーン枠１は、図１の（ｂ）に示すように、左右一対の対向する第１の枠材２，２の内側に、互いに対面させた凹溝６を形成して、該凹溝６内に、該枠材２，２の長手方向に沿うスリット９を設けたインナーレール８を、該凹溝６内において出没方向の移動をガイドされた支持部材１０を介して収容している。なお、上記インナーレール８は、支持部材１０に固定し、或いはそれと一体化したものとして構成してもよい。また、上記一対の第１の枠材２，２間に張設するスクリーン４には、その左右側端に沿う一対の対向辺に、上記インナーレール８のスリット９の内側に沿って摺動自在に係合させる多数の係合片１２を設けた帯状体１１を取り付け、これらの多数の係合片１２により、左右の第１の枠材２，２間にスクリーン４を保持させるように構成している。多数の係合片１２を備えた帯状体１１としては、被服等で汎用されているファスナーの半体を利用することができる。
【００１６】
一方、図３及び図５において明瞭に示すように、上記スクリーン４における上下の一対の対向辺には、それぞれ、上記スクリーン枠１の一対の第２の枠材３，３に離脱可能に保持させる操作用桟１５を取り付けている。これらの操作用桟１５は、スクリーン枠１の上下の第２の枠材３，３の表面の内側端に設けた凹所１８に嵌入する角筒状のスクリーン連結部１６と、該連結部１６の外面から凹所１８外まで延びる操作部１７とを備えている。
なお、図３においては、上部の操作用桟１５を、後述するスライドカバー２４の位置における断面によって示し、下部の操作用桟１５を、スライドカバー２４から離れた位置における断面によって示している。
【００１７】
上記スクリーン連結部１６は、スクリーン４の端部に接する面にスリット１６ａを設け、該スリット１６ａに係合する多数の係合片５ａを設けた帯状体５ｂをスクリーン４の上下端に取り付けて、該多数の係合片５ａをそのスリット１６ａの内側に係合させることにより、該スクリーン４を着脱可能にしたものである。また、上記操作部１７は、凹所１８外まで延びて操作用桟１５の凹所１８への着脱操作を容易にすると同時に、それ自体の弾性変形により外面に設けた突条１７ａを凹所１８内の係合溝１８ａに係合させ、操作用桟１５を凹所１８に着脱自在に嵌入係止させ得るものである。
【００１８】
上記スクリーン枠１に対するスクリーン４の組み付けは、該スクリーン枠１の左右の第１の枠材２，２内に挿入しているインナーレール８のスリット９の内側に、一対のインナーレール８の一端側からスクリーン４の帯状体１１の側端の係合片１２を挿入して、インナーレール８の全長にわたり該スクリーン４を張設し、スクリーン４に上下方向の弛みがない状態において、スクリーン４の上下の対向辺に設けた一対の操作用桟１５を、スクリーン枠１の第２の枠材３の表面の凹所１８に嵌入係止させることにより行うものである。したがって、該操作用桟１５を凹所１８から取り出してスクリーン４を引き出すことにより、該スクリーン４を上記インナーレール８に沿って引き出し、また逆にインナーレール８に導入することができる。
【００１９】
以下において説明するように、上記スクリーン４を上記インナーレール８のスリット９間に張設する段階においては、インナーレール８に対する係合片１２の摺動が円滑であることが必要であり、そのため、図１（ｂ）を参照して後述するような緊張機構４０を採用する場合にはそれを弛緩させ、スクリーン枠１の左右の第１の枠材２，２内の一対のインナーレール８が、スクリーン４に緊張を与えない間隔に保持されるように、枠材２，２の内側の凹溝６の口部側に位置するようにしておく必要がある。なお、図１の（ｂ）では、左端側の緊張機構４０におけるインナーレールのみを緊張しない状態に描記している。
【００２０】
また、上記操作用桟１５を両端に取り付けたスクリーン４を左右の第１の枠材２，２間から円滑に取り外すためには、上記操作用桟１５の長さを、インナーレール８を内部に収容した上記一対の第１の枠材２，２間の内法よりも若干短いものとしておく必要がある。図５から分かるように、一方の操作用桟１５を凹所１８から取り出してそれに連結されているスクリーン４を引き出す際に、そのスクリーン４に随伴する他方の操作用桟１５は、インナーレール８のスリット９に係合する係合片１２により拘束されてスクリーン枠１内から大きく脱出することがなく、該枠材２，２間を移動することになる。該スクリーン４をスリット９に沿ってスクリーン枠１に導入する場合には、スクリーン４を上記とは逆の方向に移動させればよい。
【００２１】
上述したところからも明らかなように、スクリーン４の上下端に取り付ける上記操作用桟１５として、それぞれ断面形状が同じものを使用し、しかも、それをスクリーン４の上下に対称状に配置し、更に、スクリーン枠１の上下の枠材３における凹所１８の形状も対称状に設けることにより、スクリーン４を張設したスクリーン枠１は、それを設置する建物開口部のサッシ等の形態に適合させるために下部の枠材３に付設する転輪や、上部の枠材３に付設するガイド部材等を除いて、上下対称状に形成することができ、これにより、一対の操作用桟１５によりスクリーン４を上下いずれの側からでも引き出し、或いは、枠材２，２間に上下いずれの側からも、更には、上下の向きを逆にして挿着することも可能となり、スクリーン４の着脱操作を任意に選択できるので、作業が容易になるばかりでなく、製造コストも抑制することが可能になる。
【００２２】
また、上記対称形状は、上下の操作用桟１５の選択によりスクリーンをスクリーン枠１の上下いずれの方向にも引き出すことを可能にするものであるから、特に、スクリーン４の取り外しを行う際に、このスクリーン枠の設置位置やその周囲の環境等に応じて、スクリーン枠１からのスクリーン４の導出方向を自由に選択でき、かかる構成は作業の安全性を確保するために非常に有効なものである。
【００２３】
上記スクリーン装置においては、上下一対の第２の枠材３，３の内側端にそれぞれ操作用桟１５が嵌入係止される凹所１８を形成し、該操作用桟１５は、上述のように、スクリーン枠１へのスクリーン４の導出入に際して、インナーレール８を収容した一対の第１の枠材２，２間を通過できる長さを有するものとするが、第１の枠材２内へスクリーン４を導入するに際しては、図４〜図７及び図１１等に示すように、上記凹所１８の両端側の第１の枠材２の表面に、スクリーン側端の上記帯状体１１に設けた係合片１２を第１の枠材２内のインナーレール８に挿通する通路を設けておく必要があり、そのためには、第１の枠材２に該通路を形成する切欠部２０を連設しておく必要がある。
【００２４】
一般的に、左右各一対の第１の枠材２及び上下各一対の第２の枠材３により四角形に枠組みされたようなスクリーン枠１にスクリーン４を張設する場合、スクリーン４を洗浄や交換のために取り外すには、上方の第２の枠材３内等に、スクリーン４を取り外すための機構を収容することが考慮されるが、上述したように、スクリーン４の端部に取り付けた操作用桟１５を第２の枠材３の表面の内側端の凹所１８に嵌入するようにした場合には、第１の枠材２に、上記凹所１８に連通させて切欠部２０を連設しておくことにより、その部分をスクリーン４を出し入れする通路として利用することが可能になり、スクリーンの洗浄や交換等のための設備や部材がスクリーン装置の周辺において大きな空間を占有するのを避けることができる。
【００２５】
また、上記第１の枠材２，２に上記通路を形成する切欠部２０を設ける場合に、該通路は、スクリーン枠１に張設したスクリーン４をメンテナンス等のために着脱する操作を容易にするだけでなく、スクリーン４の側端の上記帯状体１１の係合片１２を第１の枠材２内のインナーレール８内の狭い空間に挿通する、という比較的困難な作業も容易であることが必要である。そのため、上記切欠部２０は比較的大きくて目立つ可能性があり、簡易な構成で外観を整えながら、しかし、第三者らによって妄りにスクリーン４の取り外しが行われないように、該切欠部２０をカバー等で隠蔽しておくのが望ましい。
【００２６】
かかる観点から、上記スクリーン装置においては、図９〜図１３を参照して以下に説明するように、上記切欠部２０に被着するカバーを、スライドカバー２４として、取り外しにより紛失しないように該切欠部２０に装着しているが、該カバーは、切欠部２０を開閉自在とした任意構造のものとして構成することができる。
【００２７】
上記スライドカバー２４の構成について説明すると、図１１は、第１の枠材２における前記凹所１８の両端側に連設する切欠部２０の形態を示すもので、該切欠部２０内に前記通路が形成されている。図９の（ａ）〜（ｃ）に示す上記スライドカバー２４は、上記通路を開閉するカバー部２５を備え、図１１に明瞭に示すように、枠材２の切欠部２０において平行に切り込まれた対向切断縁をガイド部２０ａとして、開閉移動をガイドされるもので、該スライドカバー２４は、上記ガイド部２０ａにより、上記通路を開く図１２の開位置と、該通路を閉鎖する図１３の閉位置との間において移動可能とし、両位置において以下に説明するように位置決め可能に形成されている。
【００２８】
上記スライドカバー２４の構成について更に具体的に説明すると、まず、該スライドカバー２４は、上記第１の枠材２の切欠部２０に形成されたガイド部２０ａにより一定の経路に沿ってガイドされるところの摺動部２９を備えている（図１３の（ｃ）参照）。この実施例における該摺動部２９は、図９の（ａ）に示すスライドカバー２４の本体部２６にコ字状の切れ目２７ａを付することにより形成した弾片２７ｂの外面側への突出部２７ｃと、後記閉位置用の当接部片２８との間に形成したものであるが、このスライドカバー２４を上記第１の枠材２の切欠部２０に組み付けたときには、該当接部片２８以外の多数の部位においても第１の部材２と摺接するため、それらの部位も摺動部を形成することになる。
【００２９】
また、図１２に示すように、上記スライドカバー２４のカバー部２５には、手動による該カバー部２５の押圧でそれを第１の枠材２に対して開位置方向へ摺動させたとき、該枠材２の表面に設けたストッパ部２１に当接して、上記通路の開位置に停止せしめられる開位置用当接部片２５ａを備えると共に、該スライドカバー２４の本体部２６には、図９及び図１３に示すように、該スライドカバー２４の手動による閉位置方向への摺動により、第１の枠材２の内壁のストッパ部２２に当接して上記通路の閉位置に停止せしめられる閉位置用当接部片２８を備えている。更に、図９、図１２及び図１３に示すように、該スライドカバー２４におけるカバー部２５の背面側には、該背面が当接して摺動する第１の枠材２の表面板２ａの内側面に、弾性レバー３０の付勢力でスライドカバー２４に摺動抵抗を付与する押圧部片３１を備え、この押圧部片３１により、スライドカバー２４をその移動位置に位置決め可能に構成している。
【００３０】
次に、上記スクリーン枠１における左右の枠材２，２内のスリット９間にスクリーン４を張設し、該スクリーン４に上下方向の弛みがない状態で、スクリーン４の上下に設けた一対の操作用桟１５をスクリーン枠１の表面の凹所１８に嵌入係止させた後に、上記スクリーン枠１内に張設されたスクリーン４をピンと張った綺麗な仕上がりにするための緊張機構４０について説明する。
【００３１】
上述のスクリーン装置における上記緊張機構４０は、図１の（ｂ）に例示するように、上記枠材２の凹溝６内に収容したインナーレール８を該凹溝６内において出没方向に移動させて、スクリーン４の緊張程度を調整する機構であればよく、該機構としては、例えば上記一対の枠材２，２内の凹溝６内においてインナーレール８を出没方向に移動可能に支持する支持部材１０に雌ネジ部片４１を固定しておき、それに対し、外部からドライバー等の工具で回転は可能であるが、軸線方向移動は阻止できるように支持させた雄ネジ部片４３をた螺挿したものとして構成することができる。
【００３２】
かかる構成の緊張機構４０によれば、スクリーン枠１からスクリーン４を取り外し、或いは、スクリーン枠１にスクリーン４を取り付ける際には、ドライバー等の工具で上記雄ネジ部片４３を操作するだけでスクリーン４を弛緩させ、また、逆にスクリーン４をスクリーン枠１に装着した後には、スクリーン４の緊張程度を確かめながら、雄ネジ部片４３を調整することにより、該スクリーンを適度に緊張させることができる。
なお、図示の例では、枠材２の凹溝６内において、インナーレール８を支持する支持部材１０に雌ネジ部片４１を付設しているが、該雌ネジ部片４１及び雄ネジ部片４３を枠材２の長手方向に離散的に配設することにより、スクリーンを全般的に均一に緊張させることができる。
【００３３】
なお、本発明は上述した実施例に特定されるものではなく、本発明の精神を逸脱しない範囲内においてその設計を変更して実施できるものであり、例えば、上記実施例では、スクリーン４を第１の枠材２内のインナーレール８に沿って上下方向に導出入するように形成しているが、該スクリーン４は枠材に対して上下方向に導出入するものに限るものではなく、左右方向に移動させて枠材に対し導出入させることもでき、また、枠材の双方向に導出入する場合に限るものでもない。
【符号の説明】
【００３４】
１      スクリーン枠
２      第１の枠材
３      第２の枠材
４      スクリーン
６      凹溝
８      インナーレール
９      スリット
１１      帯状体
１２      係合片
１５      操作用桟
１６      スクリーン連結部
１８      凹所
２０      切欠部
【図１】
2017137714.tif 000003
【図２】
2017137714.tif 000004
【図３】
2017137714.tif 000005
【図４】
2017137714.tif 000006
【図５】
2017137714.tif 000007
【図６】
2017137714.tif 000008
【図７】
2017137714.tif 000009
【図８】
2017137714.tif 000010
【図９】
2017137714.tif 000011
【図１０】
2017137714.tif 000012
【図１１】
2017137714.tif 000013
【図１２】
2017137714.tif 000014
【図１３】
2017137714.tif 000015